【手続補正書】
【提出日】平成28年10月3日(2016.10.3)
【手続補正１】
【補正対象書類名】明細書
【補正対象項目名】０００１
【補正方法】変更
【補正の内容】
【０００１】
本発明は、処理すべきタスク情報の中から、タスク実行装置ごとに実行可能なタスクとそうでないタスクとを一括で閲覧可能なタスク管理システム、その制御方法、及びプログラム、並びにタスク実行装置、その制御方法、及びプログラムに関する。
【手続補正２】
【補正対象書類名】明細書
【補正対象項目名】００１０
【補正方法】変更
【補正の内容】
【００１０】
本発明は、処理すべきタスク情報の中から、タスク実行装置ごとに実行可能なタスクとそうでないタスクとを一括で閲覧可能な仕組みを提供することを目的とする。
【手続補正３】
【補正対象書類名】明細書
【補正対象項目名】００１１
【補正方法】変更
【補正の内容】
【００１１】
上記の目的を達成するために、本発明のタスク管理システムは、処理すべきタスクを示すタスク情報を記憶する記憶手段と、前記記憶手段に記憶されたタスク情報が示すタスクを実行可能なタスク実行装置の種別を特定する第１の特定手段と、タスク実行装置からタスクの実行を受け付け可能な画面の取得要求を受け付ける取得要求受付手段と、前記第１の特定手段で特定したタスク実行装置の種別を用いて、前記取得要求受付手段で受け付けた取得要求の要求元であるタスク実行装置の種別で実行可能なタスクを示す前記タスク情報を特定する第２の特定手段と、前記第２の特定手段で特定した前記タスク情報が示すタスクを識別可能な画面を出力する画面出力手段を備えることを特徴とする。
【手続補正４】
【補正対象書類名】明細書
【補正対象項目名】００１２
【補正方法】変更
【補正の内容】
【００１２】
本発明によれば、処理すべきタスク情報の中から、タスク実行装置ごとに実行可能なタスクとそうでないタスクとを一括で閲覧することのできる効果を奏する。
【手続補正５】
【補正対象書類名】特許請求の範囲
【補正対象項目名】全文
【補正方法】変更
【補正の内容】
【特許請求の範囲】
【請求項１】
処理すべきタスクを示すタスク情報を記憶する記憶手段と、
前記記憶手段に記憶されたタスク情報が示すタスクを実行可能なタスク実行装置の種別を特定する第１の特定手段と、
タスク実行装置からタスクの実行を受け付け可能な画面の取得要求を受け付ける取得要求受付手段と、
前記第１の特定手段で特定したタスク実行装置の種別を用いて、前記取得要求受付手段で受け付けた取得要求の要求元であるタスク実行装置の種別で実行可能なタスクを示す前記タスク情報を特定する第２の特定手段と、
前記第２の特定手段で特定した前記タスク情報が示すタスクを識別可能な画面を出力する画面出力手段と
を備えることを特徴とするタスク管理システム。
【請求項２】
前記画面出力手段は、前記第２の特定手段で特定した前記要求元であるタスク実行装置の種別で実行可能なタスクを、出力した画面から実行可能な状態で出力することを特徴とする請求項１に記載のタスク管理システム。
【請求項３】
前記画面出力手段は、前記取得要求受付手段で前記画面の取得要求を受け付けた要求元のタスク実行装置で実行できないタスクは、当該タスク実行装置で実行できないよう制御して画面を出力することを特徴とする請求項１または２に記載のタスク管理システム。
【請求項４】
前記タスク管理システムは、
前記画面出力手段で出力した画面に表示されているタスク情報の表示を制御する表示制御手段を更に備え、
前記表示制御手段は、前記第２の特定手段で特定した前記要求元であるタスク実行装置で実行可能なタスクのタスク情報を、当該タスク実行装置で実行が出来ないタスクのタスク情報よりも優先的に閲覧可能となるように、タスク情報を並び替えて表示するよう制御することを特徴とする請求項１乃至３のいずれか１項に記載のタスク管理システム。
【請求項５】
前記タスク管理システムは、
前記画面に表示している前記タスク情報が示すタスクの実行順の指定を受け付ける受付手段をさらに備え、
前記表示制御手段は、前記受付手段で受け付けた実行順を示すようにタスク情報を表示するよう制御することを特徴とする請求項４に記載のタスク管理システム。
【請求項６】
前記表示制御手段は、前記受付手段で実行順を受け付けたタスク情報のうち、実行順が先であるタスクが未実行の場合は実行順が後であるタスクの実行を受け付けないよう表示制御することを特徴とする請求項４または５に記載のタスク管理システム。
【請求項７】
処理すべきタスクを示すタスク情報を記憶する記憶手段を備えるタスク管理システムの制御方法であって、
前記タスク管理システムの第１の特定手段が、前記記憶手段に記憶されたタスク情報が示すタスクを実行可能なタスク実行装置の種別を特定する第１の特定ステップと、
前記タスク管理システムの取得要求受付手段が、タスク実行装置からタスクの実行を受け付け可能な画面の取得要求を受け付ける取得要求受付ステップと、
前記タスク管理システムの第２の特定手段が、前記第１の特定ステップで特定したタスク実行装置の種別を用いて、前記取得要求受付ステップで受け付けた取得要求の要求元であるタスク実行装置の種別で実行可能なタスクを示す前記タスク情報を特定する第２の特定ステップと、
前記タスク管理システムの画面出力手段が、前記第２の特定ステップで特定した前記タスク情報が示すタスクを識別可能な画面を出力する画面出力ステップと
を備えることを特徴とするタスク管理システムの制御方法。
【請求項８】
処理すべきタスクを示すタスク情報を記憶する記憶手段を備えるタスク管理システムの制御方法をコンピュータに実行させるためのコンピュータに読み取り実行可能なプログラムであって、
前記記憶手段に記憶されたタスク情報が示すタスクを実行可能なタスク実行装置の種別を特定する第１の特定手段と、
タスク実行装置からタスクの実行を受け付け可能な画面の取得要求を受け付ける取得要求受付手段と、
前記第１の特定手段で特定したタスク実行装置の種別を用いて、前記取得要求受付手段で受け付けた取得要求の要求元であるタスク実行装置の種別で実行可能なタスクを示す前記タスク情報を特定する第２の特定手段と、
前記第２の特定手段で特定した前記タスク情報が示すタスクを識別可能な画面を出力する画面出力手段
として機能させることを特徴とするタスク管理システムのプログラム。
【請求項９】
処理すべきタスクを示すタスク情報を管理し、前記タスク情報をタスク実行装置に送信するタスク管理サーバと通信可能に接続されたタスク実行装置であって、
前記タスク情報を前記タスク管理サーバから受信する受信手段と、
前記タスク実行装置でタスクの実行を受付可能な画面の取得要求を前記タスク管理サーバに送信する取得要求送信手段と、
前記タスク管理サーバから当該タスク実行装置でタスクの実行を受付可能な画面を取得する画面取得手段と、
前記画面取得手段で取得した前記画面をタスクの実行が受付可能な状態で表示するよう制御する表示制御手段と、
を備えることを特徴とするタスク実行装置。
【請求項１０】
前記タスク実行装置は、
前記画面に表示している前記タスク情報が示す複数のタスクの関連付けが可能な関連付け手段を更に備え、
前記表示制御手段は、前記関連付け手段で関連付けた複数のタスク情報を識別可能に表示することを特徴とする請求項９に記載のタスク実行装置。
【請求項１１】
前記関連付け手段は、関連付けた複数のタスクの実行順の指定を受け付け可能であり、
前記表示制御手段は、指定を受け付けた前記実行順を示すように前記複数のタスクを表示するよう制御することを特徴とする請求項１０に記載のタスク実行装置。
【請求項１２】
前記表示制御手段は、前記関連付け手段で関連付けた複数のタスク情報のうち、前記タスク実行装置で実行できないタスクを示すタスク情報は、前記タスク実行装置で実行可能なタスクを示すタスク情報とは識別可能に表示することを特徴とする請求項１０または１１に記載のタスク実行装置。
【請求項１３】
処理すべきタスクを示すタスク情報を管理し、前記タスク情報をタスク実行装置に送信するタスク管理サーバと通信可能に接続されたタスク実行装置の制御方法であって、
前記タスク実行装置の受信手段が、前記タスク情報を前記タスク管理サーバから受信する受信ステップと、
前記タスク実行装置の取得要求送信手段が、前記タスク実行装置でタスクの実行を受付可能な画面の取得要求を前記タスク管理サーバに送信する取得要求送信ステップと、
前記タスク実行装置の画面取得手段が、前記タスク管理サーバから当該タスク実行装置でタスクの実行を受付可能な画面を取得する画面取得ステップと、
前記タスク実行装置の表示制御手段が、前記画面取得ステップで取得した前記画面をタスクの実行が受付可能な状態で表示するよう制御する表示制御ステップと、
を備えることを特徴とするタスク実行装置の制御方法。
【請求項１４】
処理すべきタスクを示すタスク情報を管理し、前記タスク情報をタスク実行装置に送信するタスク管理サーバと通信可能に接続されたタスク実行装置の制御方法をコンピュータに読み取り実行可能なプログラムであって、
前記タスク情報を前記タスク管理サーバから受信する受信手段と、
前記タスク実行装置でタスクの実行を受付可能な画面の取得要求を前記タスク管理サーバに送信する取得要求送信手段と、
前記タスク管理サーバから当該タスク実行装置でタスクの実行を受付可能な画面を取得する画面取得手段と、
前記画面取得手段で取得した前記画面をタスクの実行が受付可能な状態で表示するよう制御する表示制御手段
として機能させることを特徴とするタスク実行装置のプログラム。